(57)【特許請求の範囲】
【請求項１】
コネクタハウジングの端子収容室に収容され、前記端子収容室内に撓み可能に設けられた係止ランスと係合されるコネクタ端子であって、
前記端子収容室の開口側に配置され筒状に設けられた接続部と、この接続部に設けられ前記係止ランスの係合突部が挿入され前記係合突部が係合される被係止面が設けられた被係合口とを有し、
前記接続部には、前記被係合口が設けられた壁部を内部に向けて折り曲げられて弾性変形可能な接触部が設けられ、前記壁部の接触部から先の先端面は、前記被係止面の位置に配置され、
前記壁部の先端面は、前記被係止面の幅と略同一の幅を有することを特徴とするコネクタ端子。
【発明の詳細な説明】
【技術分野】
【０００１】
本発明は、コネクタ端子に関する。
【背景技術】
【０００２】
従来、コネクタハウジングの端子収容室に収容され、端子収容室内に撓み可能に設けられた係止ランスと係合されるコネクタ端子としては、端子収容室としてのキャビティの開口側に配置され筒状に設けられた接続部としての本体部と、この本体部に設けられ係止ランスの突き出し部に係合される係止突部とを有するものが知られている（例えば、特許文献１参照）。
【０００３】
このコネクタ端子では、係止突部が本体部の外壁よりも外方へ叩き出して形成されており、この係止突部の中央部分を内方へ叩き出すことによって内向き突部を形成させている。この内向き突部は、係止突部と共に係止ランスの突き出し部に係合され、係止突部と係止ランスの突き出し部との係止面を増大させてコネクタ端子の端子収容室内からの抜け止め力を大きくしている。
【先行技術文献】
【特許文献】
【０００４】
【特許文献１】特開２００４−４７２２７号公報
【発明の概要】
【発明が解決しようとする課題】
【０００５】
しかしながら、上記のようなコネクタ端子では、係止突部が筒状の接続部の外壁よりも外方へ叩き出して形成されているので、接続部が外側に張り出した形状となり、コネクタ端子が大型化してしまっていた。
【０００６】
そこで、この発明は、小型化を維持しつつ、係止ランスによる係止を向上することができるコネクタ端子の提供を目的としている。
【課題を解決するための手段】
【０００７】
請求項１記載の発明は、コネクタハウジングの端子収容室に収容され、前記端子収容室内に撓み可能に設けられた係止ランスと係合されるコネクタ端子であって、前記端子収容室の開口側に配置され筒状に設けられた接続部と、この接続部に設けられ前記係止ランスの係合突部が挿入され前記係合突部が係合される被係止面が設けられた被係合口とを有し、前記接続部には、前記被係合口が設けられた壁部を内部に向けて折り曲げられて弾性変形可能な接触部が設けられ、前記壁部の接触部から先の先端面は、前記被係止面の位置に配置され、前記壁部の先端面は、前記被係止面の幅と略同一の幅を有することを特徴とする。
【０００８】
このコネクタ端子では、係止ランスの係合突部が挿入され係合突部が係合される被係止面が設けられた被係合口を有するので、コネクタ端子を係止ランスに係止させるために筒状の接続部から外側に張り出す被係合部を設ける必要がなく、コネクタ端子の小型化を維持することができる。
【０００９】
また、接続部には、被係合口が設けられた壁部を内部に向けて折り曲げられて弾性変形可能な接触部が設けられ、壁部の接触部から先の先端面は、被係止面の位置に配置されているので、係止ランスの係合突部に係止される被係止面を壁部の先端面によって増大させることができ、係止ランスによるコネクタ端子の係止を向上することができる。
【００１０】
従って、このようなコネクタ端子では、接続部が外側に大型化することがないと共に、被係止面を増大させることができるので、小型化を維持しつつ、係止ランスによる係止を向上することができる。
【００１２】
このコネクタ端子では、壁部の先端面が被係止面の幅と略同一の幅を有するので、被係止面の幅方向の全域で被係止面を増大させることができ、広範囲で係止ランスによるコネクタ端子の係止を向上することができる。
【発明の効果】
【００１３】
本発明によれば、小型化を維持しつつ、係止ランスによる係止を向上することができるコネクタ端子を提供することができるという効果を奏する。
【図面の簡単な説明】
【００１４】
【図１】（ａ）は本発明の実施の形態に係るコネクタ端子が収容されるコネクタハウジングの正面図である。（ｂ）は図１（ａ）のＡ−Ａ断面図である。（ｃ）は図１（ｂ）の拡大図である。
【図２】（ａ）は本発明の実施の形態に係るコネクタ端子がコネクタハウジングに収容された状態の正面図である。（ｂ）は図２（ａ）のＢ−Ｂ断面図である。
【図３】本発明の実施の形態に係るコネクタ端子の斜視図である。
【図４】（ａ）は本発明の実施の形態に係るコネクタ端子の正面図である。（ｂ）は図４（ａ）のＣ−Ｃ断面図である。
【図５】図４（ａ）のＤ−Ｄ断面図である。
【発明を実施するための形態】
【００１５】
図１〜図５を用いて本発明の実施の形態に係るコネクタ端子について説明する。
【００１６】
本実施の形態に係るコネクタ端子１は、コネクタハウジング３の端子収容室５に収容され、端子収容室５内に撓み可能に設けられた係止ランス７と係合される。
【００１７】
また、コネクタ端子１は、端子収容室５の開口９側に配置され筒状に設けられた接続部１１と、この接続部１１に設けられ係止ランス７の係合突部１３が挿入され係合突部１３が係合される被係止面１５が設けられた被係合口１７とを有する。
【００１８】
そして、接続部１１には、被係合口１７が設けられた壁部１９を内部に向けて折り曲げられて弾性変形可能な接触部２１が設けられ、壁部１９の接触部２１から先の先端面２３は、被係止面１５の位置に配置されている。
【００１９】
また、壁部の先端面２３は、被係止面１５の幅と略同一の幅を有する。
【００２０】
図１，図２に示すように、コネクタハウジング３は、端子収容室５と、端子支持部２５と、係止ランス７とを備えている。端子収容室５は、コネクタハウジング３の長さ方向に延設されており、挿入口２７側からコネクタ端子１が挿入され、開口９側にコネクタ端子１の接続部１１側が配置される。この端子収容室５にコネクタ端子１を収容することによって、コネクタハウジング３を相手ハウジング（不図示）と嵌合することにより、開口９側の接続部挿入口２９から相手端子のタブなどの接続部が挿通され、コネクタ端子１の接続部１１と相手端子とが接続される。このような端子収容室５に収容されたコネクタ端子１の接続部１１側は、端子支持部２５によって支持される。
【００２１】
端子支持部２５は、端子収容室５の側壁３１から側壁３３に向けて端子収容室５の幅方向に延設されると共に、開口９側から係止ランス７に向けて端子収容室５の長さ方向に延設されている。この端子支持部２５は、端子収容室５内にコネクタ端子１が収容された状態で、コネクタ端子１の接続部１１側を支持する。このような端子支持部２５よりも挿入口２７側には、係止ランス７が設けられている。
【００２２】
係止ランス７は、下面３５と端子収容室５の内壁面３７との間に形成された可撓空間３９に撓み可能に設けられている。また、係止ランス７には、撓み方向の上方に突出してランス係止面４１が形成された係合突部１３が設けられている。この係止ランス７は、挿入口２７側から端子収容室５内にコネクタ端子１が収容されたときに、傾斜面４３がコネクタ端子１の先端部と当接することによって下方に撓まされる。この状態からコネクタ端子１を開口９側に向けて挿入し、コネクタ端子１の接続部１１側が端子支持部２５によって支持されたときに、係止ランス７が上方に復元する。このとき、係合突部１３がコネクタ端子１の被係合口１７に挿入され、コネクタ端子１の端子収容室５からの抜けが防止される。
【００２３】
図２〜図５に示すように、コネクタ端子１は、導電性材料からなり、電線固定部４５と接続部１１と被係合口１７とを備えている。電線固定部４５は、被覆電線（不図示）の芯線が導通して加締められる芯線固定部４７と、被覆電線の被覆部を加締めて被覆電線を固定する被覆固定部４９とを有する。この電線固定部４５に被覆電線が固定されることにより、被覆電線に接続された電子部品（不図示）などとコネクタ端子１とが電気的に接続される。
【００２４】
接続部１１は、四角形状の角筒状に形成され、内部に弾性変形可能な接触部２１を有している。この接触部２１は、壁部１９を接続部１１の内部に向けて折り曲げ加工することによって弾性変形可能に設けられている。この接続部１１には、相手端子（不図示）のタブなどの接続部が挿入されて接触部２１と弾性的に接触され、コネクタ端子１と相手端子とが電気的に接続される。
【００２５】
被係合口１７は、接続部１１の壁部１９に設けられている。また、被係合口１７の縁部には、係止ランス７の係合突部１３が挿入された状態で、係合突部１３のランス係止面４１に係合される被係止面１５が設けられている。この被係合口１７は、係合突部１３のランス係止面４１と被係止面１５とが係合することによって、コネクタ端子１の端子収容室５からの抜けを防止する。このような被係合口１７の被係止面１５の上方には、壁部１９の接触部２１から先の先端面２３が位置される。
【００２６】
壁部１９の先端面２３側は、接触部２１から幅方向に拡張するように形成されている。この先端面２３の幅は、被係合口１７の被係止面１５の幅と略同一に設定されている。このように壁部１９の先端面２３を被係合口１７の被係止面１５の位置に配置させることにより、係止ランス７の係合突部１３のランス係止面４１に係合される係止代を増大させ、被係止面１５で起こるせん断を遅らせることができ、係止における保持力を向上することができる。また、被係合口１７の被係止面１５と壁部１９の先端面２３とを略同一の幅に設定することにより、係合突部１３のランス係止面４１に係合される係止代をさらに増大させることができ、係止における保持力をさらに向上することができる。なお、係止ランス７の係合突部１３のランス係止面４１の幅も、被係止面１５及び先端面２３の幅と略同一に設定することが好ましい。また、壁部１９の先端面２３によって係止における保持力が増大されているので、係合力を増大させるスペーサなどの部材を用いる必要がなく、部品点数を削減することができる。
【００２７】
なお、係止ランス７の係合突部１３とコネクタ端子１の被係合口１７との係合は、コネクタハウジング３の開口９側に設けられた治具挿入口５１から解除治具（不図示）を挿入し、係止ランス７の先端部に解除治具を当接して係止ランス７を下方に撓ませることによって解除され、端子収容室５からコネクタ端子１を取り出すことができる。
【００２８】
このようなコネクタ端子１では、係止ランス７の係合突部１３が挿入され係合突部１３が係合される被係止面１５が設けられた被係合口１７を有するので、コネクタ端子１を係止ランス７に係止させるために筒状の接続部１１から外側に張り出す被係合部を設ける必要がなく、コネクタ端子１の小型化を維持することができる。
【００２９】
また、接続部１１には、被係合口１７が設けられた壁部１９を内部に向けて折り曲げられて弾性変形可能な接触部２１が設けられ、壁部１９の接触部２１から先の先端面２３は、被係止面１５の位置に配置されているので、係止ランス７の係合突部１３に係止される被係止面１５を壁部１９の先端面２３によって増大させることができ、係止ランス７によるコネクタ端子１の係止を向上することができる。
【００３０】
従って、このようなコネクタ端子１では、接続部１１が外側に大型化することがないと共に、被係止面１５を増大させることができるので、小型化を維持しつつ、係止ランス７による係止を向上することができる。
【００３１】
また、壁部１９の先端面２３が被係止面１５の幅と略同一の幅を有するので、被係止面１５の幅方向の全域で被係止面１５を増大させることができ、広範囲で係止ランス７によるコネクタ端子１の係止を向上することができる。
【００３２】
なお、本発明の実施の形態に係るコネクタ端子では、被係合口の被係止面と壁部の先端面とが同一の壁部からなるので厚みが同一であるが、これに限らず、壁部の先端面の厚みを被係合口の被係止面の厚みよりも大きくなるように設定してもよい。この場合には、係止ランスとの係止代をさらに増大させることができる。
【符号の説明】
【００３３】
１…コネクタ端子
３…コネクタハウジング
５…端子収容室
７…係止ランス
９…開口
１１…接続部
１３…係合突部
１５…被係止面
１７…被係合口
１９…壁部
２１…接触部
２３…先端面
【図１】
0005736200.tif 000002
【図２】
0005736200.tif 000003
【図３】
0005736200.tif 000004
【図４】
0005736200.tif 000005
【図５】
0005736200.tif 000006